(57)【要約】      （修正有）【課題】放射性廃棄物の処分研究の全過程に一貫した品質保証を適用し、処分研究に対する信頼性を確保するインターネット基盤の統合システムを提供する。【解決手段】放射性廃棄物の処分研究のためのインターネット基盤の統合システム及びこれを用いた処分総合性能評価方法に関し、より詳細には、研究特性上、長期間の体系的な資料管理が必要な放射性廃棄物の処分研究において、処分研究に関するプロジェクトの生成から最終承認に至る全過程に品質保証（Ｑｕａｌｉｔｙ  Ａｓｓｕｒａｎｃｅ；ＱＡ）を適用してデータを導き出し、導き出されたデータを新しい処分総合性能評価のための入力データと処分総合性能評価の実行に必要なシナリオの生成に使用し、各過程で入力されたデータを統合的に格納及び管理し、これをインターネットを介して共有することによって、放射性廃棄物の処分研究に対する一貫性及び信頼性の確保と研究員間の情報共有を容易にする。【選択図】図１
2008052697.tif 000002
【特許請求の範囲】
【請求項１】
放射性廃棄物の処分に対する安全性を立証し、信頼性を向上させる放射性廃棄物の処分研究を行うためのインターネット基盤のシステムであって、
放射性廃棄物の処分研究に必要なＦＥＰ（Features, Events and Processes）データを入力し、放射性廃棄物の処分研究の実行結果を出力する入出力装置で構成されたユーザクライアントシステム１０と、
インターネットを介して前記ユーザクライアントシステム１０に連結され、放射性廃棄物の処分研究を行う統合システムサーバー３０と、を含み、
前記統合システムサーバー３０は、
前記ユーザクライアントシステム１０を介して入力されたＦＥＰデータから品質保証データを獲得する品質保証（Quality Assurance；ＱＡ）システム４０と、
前記品質保証システム４０から獲得した品質保証データを組み合わせて、処分総合性能評価（Total System Performance Assessment；ＴＳＰＡ）のためのシナリオを生成し、前記ユーザクライアントシステム１０を介して検索及び閲覧機能を提供するＦＥＡＳ（FEP to Assessment through Scenario development）システム５０と、
処分総合性能評価のために前記ＦＥＡＳシステム５０に入力されたデータを制定された分類基準によって分類し、データベース化するＰＡＩＤ（Performance Assessment Input Database）システム６０と、
前記ＰＡＩＤシステム６０でデータベース化したデータを再構成できる文書化モジュール７０と、
前記品質保証システム４０、前記ＦＥＡＳシステム５０及び前記ＰＡＩＤシステム６０から放射性廃棄物の処分研究と関連した全てのデータを入力され、統合的に格納する統合ＤＢモジュール８０と、
ユーザの人的事項によって前記各システム及び前記モジュールの使用有無を統制するシステム管理部３２と、
を備えることを特徴とする放射性廃棄物の処分研究のためのインターネット基盤の統合システム。
【請求項２】
前記品質保証システム４０は、
前記ユーザクライアントシステム１０を介して放射性廃棄物の処分関連データを入力される入力部４２と、
前記入力部４２から受けたデータを品質保証原則が適用された決裁及び承認過程を経て最終承認可否を決定する決裁／承認部４４と、
前記決裁／承認部４４で最終承認したデータだけを選別し格納する選別格納部４６と、を備え、
前記品質保証原則が適用された放射性廃棄物の処分研究関連データを獲得できることを特徴とする請求項１に記載の放射性廃棄物の処分研究のためのインターネット基盤の統合システム。
【請求項３】
前記ＦＥＡＳシステム５０は、
前記品質保証システム４０から獲得した品質保証が適用されたＦＥＰデータから放射性廃棄物の処分に影響を及ぼすＦＥＰデータを選別し、相互反応行列５７の構成要素に対応させ、前記相互反応行列５７の構成要素を所定の順序にしたがって配列してシナリオを生成し、処分総合性能評価を行うことを特徴とする請求項１に記載の放射性廃棄物の処分研究のためのインターネット基盤の統合システム。
【請求項４】
前記ＦＥＰデータは、
放射性廃棄物の処分研究において類似の特性によって１つの集合体に集められて統合ＦＥＰ（Integrated FEP；ＩＦＥＰ）データで構成され、前記統合ＦＥＰデータは、前記相互反応行列５７の構成要素と一対一で対応されて、処分総合性能評価のためのシナリオを生成することを特徴とする請求項３に記載の放射性廃棄物の処分研究のためのインターネット基盤の統合システム。
【請求項５】
前記ＰＡＩＤシステム６０は、
前記品質保証システム４０を介して品質保証が適用された全体データから任意の単一のデータを検索する場合に、前記全体データから順次に検索を行い、またはキーワードを介して前記単一のデータを検索することによって提供されることを特徴とする請求項１に記載の放射性廃棄物の処分研究のためのインターネット基盤の統合システム。
【請求項６】
前記文書化モジュール７０は、
前記統合ＤＢモジュール８０に格納された放射性廃棄物の処分研究関連データの中で前記ＰＡＩＤシステム６０関連データをユーザの目的によって再構成することによって、別途の文書で再作成することができることを特徴とする請求項１に記載の放射性廃棄物の処分研究のためのインターネット基盤の統合システム。
【請求項７】
放射性廃棄物を処分するのに影響を及ぼす多様な因子を把握し、相互関連関係を糾明して、放射性廃棄物の処分システムの安全性を立証する処分総合性能評価を行う方法であって、
品質保証システムを用いて放射性廃棄物の処分研究と関連した多数のプロジェクトから品質保証データを獲得するステップと、
ＦＥＡＳシステムを用いて前記品質保証データの中でＦＥＡＳシステム関連データに基づいて相互反応行列を構成することによって、放射性廃棄物の処分総合性能評価のためのシナリオを生成するステップと、
前記生成されたシナリオを用いて放射性廃棄物の処分総合性能評価を行うステップと、
前記処分総合性能評価の実行結果は、新しい処分総合性能評価に必要なＦＥＰデータと相互反応行列の構成要素及び評価入力データとして提供されるために、統合ＤＢモジュールに格納されるステップと、
を含むことを特徴とする放射性廃棄物の処分研究のためのインターネット基盤の統合システムを用いた処分総合性能評価方法。
【請求項８】
前記品質保証データを獲得するステップは、
システム管理部が放射性廃棄物の処分研究関連プロジェクトを行う研究者の要請を受けて該当プロジェクトフォルダを生成するステップと、
前記システム管理部が前記プロジェクトフォルダを生成しながらプロジェクトリーダを指定するステップと、
前記プロジェクトリーダにより該当プロジェクトの構成メンバーが決定され、プロジェクトメンバーは、プロジェクトリーダが選定される場合に、そのまま統合ＤＢモジュールに格納されるステップと、
前記メンバーとして指定された研究員は、所定の入力様式を用いて放射性廃棄物の処分研究関連データを入力し、上位決裁者による決裁順序を指定して承認を要請するステップと、
前記決裁過程を経て放射性廃棄物の処分関連データが最終承認される場合に、前記システム管理部の確認を経て前記統合ＤＢモジュールに格納されるステップと、
前記決裁過程で放射性廃棄物の処分関連データが不承認される場合に、入力研究員に返送し、返送されたデータの修正後、再承認を経るステップと、
前記不承認されたデータの場合にも、関連データ記録は、全て前記統合ＤＢモジュールに格納されるステップと、
をさらに含むことを特徴とする請求項７に記載の放射性廃棄物の処分研究のためのインターネット基盤の統合システムを用いた処分総合性能評価方法。
【請求項９】
前記シナリオを生成するステップは、
前記相互反応行列を生成するステップと、
前記品質保証システムで得られたＦＥＰ関連データを処分総合性能評価のためのシナリオのＦＥＰデータとして使用して前記相互反応行列の構成要素に対応させるステップと、
前記相互反応行列の各構成要素毎に関係される評価方法流れ図項目を入力し、関連シナリオに対する主要評価概要を作成するステップと、
前記相互反応行列の各構成要素に順序を付与し、付与された順序によって相互反応行列の構成要素を構成してシナリオを生成するステップと、
サブ相互反応行列を生成する場合、既存の相互反応行列から構成要素の一部を取り込み、残りの構成要素は、新しく入力して新しい相互反応行列として生成できるステップと、
をさらに含むことを特徴とする請求項７に記載の放射性廃棄物の処分研究のためのインターネット基盤の統合システムを用いた処分総合性能評価方法。
【請求項１０】
前記相互反応行列の構成要素を構成してシナリオを生成するステップは、
放射性廃棄物の処分場の物理的防壁である廃棄物、容器、緩衝材、岩盤、生態系及び地下水流動などの核心現象を示す前記相互反応行列の対角線構成要素（Leading Diagonal Element；ＬＤＥ）と、前記対角線構成要素間の相互反応を示す前記相互反応行列の非対角線構成要素（Off Diagonal Element；ＯＤＥ）とを付与された順序によって交互に反復してシナリオを生成し、前記相互反応行列の構成要素を重要度によって各々異なる色相で表示することを特徴とする請求項９に記載の放射性廃棄物の処分研究のためのインターネット基盤の統合システムを用いた処分総合性能評価方法。
【発明の詳細な説明】
【技術分野】
【０００１】
本発明は、放射性廃棄物の処分研究のためのインターネット基盤の統合システム及びこれを用いた処分総合性能評価方法に関し、より詳しくは、研究特性上、長期間の体系的な資料管理が必要な放射性廃棄物の処分研究において、処分研究に関するプロジェクトの生成から最終承認に至る全過程に品質保証（Quality  Assurance；ＱＡ）を適用してデータを導き出し、導き出されたデータを新しい処分総合性能評価のための入力データと処分総合性能評価の実行に必要なシナリオの生成に使用し、各過程で入力されたデータを統合的に格納及び管理し、これをインターネットを介して共有することによって、放射性廃棄物の処分研究に対する一貫性及び信頼性の確保と研究員間の情報共有を容易にして、研究効率を増進させることができる放射性廃棄物の処分研究のためのインターネット基盤の統合システム及びこれを用いた処分総合性能評価方法に関する。
【背景技術】
【０００２】
一般に、放射性廃棄物は、放射性物質またはそれによって汚染された物質であって、廃棄の対象となる物質を意味する。
【０００３】
このような放射性廃棄物を処分するのに影響を及ぼす多様な因子を把握し、相互関連関係を糾明して、放射性廃棄物の処分システムの安全性を立証する処分総合性能評価（Total  System  Performance  Assessment；ＴＳＰＡ）を含む放射性廃棄物の処分研究は、放射性廃棄物の処分場所である放射性廃棄物の処分場の性能及び安全性に及ぼす単位現象、事件及び工程（Features,  Events  and  Processes；以下、ＦＥＰという）データと各ＦＥＰデータの関連関係を考察する一連の過程を含む。
【０００４】
放射性廃棄物の処分研究は、関係するデータの種類と処分総合性能評価方法によって各々異なる数多くのプロジェクトが生成することができ、このようなプロジェクトを行うことによって、一貫性及び信頼性が保障されたデータを確保するために、プロジェクト全般に品質保証が適用される。
【０００５】
また、放射性廃棄物の処分の各ステップ別過程で発生する不確実性を減少させ、処分システム安全性を立証して、放射性廃棄物の処分に対する信頼性を向上させる処分総合性能評価は、処分場から流出した放射性核種が生態系まで至るまでの反応過程を一連のストーリーで構成したシナリオの開発を通じて評価を始める。
【０００６】
すなわち、長期間にわたって反復的な過程を通じて処分場の安全性を立証する処分総合性能評価は、まず評価の対象となるシナリオを開発し、開発されたシナリオに基づいて評価概要及び評価方法論を確立し、これを通じて実際性能評価を行うことによって、評価結果を導き出す過程で構成される。ここで、性能評価過程で必要な入力資料は、実験と評価または既存の文献を通じて導き出されて利用される。
【０００７】
このように処分総合性能評価は、各々のストーリー内容によって入力されるデータが変わり、このため、評価結果が変わるので、信頼性あるシナリオの選定及び確立は、信頼性ある処分総合性能評価のために最も先行されなければならない。
【発明の開示】
【発明が解決しようとする課題】
【０００８】
従来の放射性廃棄物の処分研究で行われる品質保証業務と処分総合性能評価を説明すれば、品質保証業務と処分総合性能評価に使われる入力資料及び実行後に導き出された結果資料が、大部分紙形態の文書に記録されるので、資料検索、収集及び閲覧などを行うことが難しく、該当記録物に対する上位決裁者の承認及び決裁過程も手作業で行われるので、空間上及び時間上の制約によるいろいろな不便さを招いた。
【０００９】
また、処分総合性能評価に使用するデータと、品質保証業務で使用する資料とが各々独立して保管され、保管される方式と媒体などが異なるので、１つの統合管理システムを構成することができず、相互データを共有して利用することが困難であった。
【００１０】
このような問題点によって放射性廃棄物の処分研究に関するプロジェクトを行うにあたって、最終承認を受けるまで多くの時間と努力が必要であり、処分総合性能評価に使われるＦＥＰデータと、ＦＥＰデータ間の相互連関性を把握することが困難であるので、放射性廃棄物の処分研究の連続性及び便宜性が低下するという問題点があった。
また、放射性廃棄物の処分研究と関連した資料が紙などの文書で記録されるので、研究員間の情報共有及び交換が円滑に行われないという問題点があった。
【００１１】
本発明は、前述のような従来の問題点を解決するためになされたもので、その課題は、長期間の体系的な資料管理と研究員間の円滑な情報共有のために、放射性廃棄物の処分研究全般に関する資料の格納と格納された資料の検索、閲覧及び収集などが容易に行われるように、インターネット基盤の統合システムを構築することによって、放射性廃棄物の処分研究の全過程に一貫した品質保証を適用し、処分研究に対する信頼性を確保することにある。
【００１２】
また、本発明の課題は、放射性廃棄物の処分研究関連研究員が研究現場で開発した特性化された品質保証様式を容易にインターネット基盤の統合システムに登載することによって、実際研究現場結果物の効率的で且つ流動的な入力及び格納を可能にすると共に、研究員間の多様な情報共有を円滑にすることによって、放射性廃棄物の処分研究に対する研究員各自の理解増進及び研究効率を増進させることにある。
【００１３】
一方、インターネット基盤の統合システムを用いて今後に施行される多様な処分研究結果に対する詳細検討時に、別途の場を別に用意する必要がなく、放射性廃棄物の処分研究に関心を持つ一般人にも資料の公開が可能なので、相互意志疎通を可能にすることにある。
【課題を解決するための手段】
【００１４】
上記の目的を達成するため、本発明の一態様に係る放射性廃棄物の処分研究のためのインターネット基盤の統合システムは、放射性廃棄物の処分に対する安全性を立証し、信頼性を向上させる放射性廃棄物の処分研究を行うためのインターネット基盤のシステムであって、放射性廃棄物の処分研究に必要なＦＥＰ（Features,  Events  and  Processes）データを入力し、放射性廃棄物の処分研究の実行結果を出力する入出力装置で構成されたユーザクライアントシステム１０と、インターネットを介して前記ユーザクライアントシステム１０に連結され、放射性廃棄物の処分研究を行う統合システムサーバー３０と、を備えて構成され、前記統合システムサーバー３０は、前記ユーザクライアントシステム１０を介して入力されたＦＥＰデータから品質保証データを獲得する品質保証（Quality  Assurance；ＱＡ）システム４０と、前記品質保証システム４０から獲得した品質保証データを組み合わせて、処分総合性能評価（Total  System  Performance  Assessment；ＴＳＰＡ）のためのシナリオを生成し、前記ユーザクライアントシステム１０を介して検索及び閲覧機能を提供するＦＥＡＳ（FEP  to  Assessment  through  Scenario  development）システム５０と、処分総合性能評価のために前記ＦＥＡＳシステム５０に入力されたデータを制定された分類基準によって分類し、データベース化するＰＡＩＤ（Performance  Assessment  Input  Database）システム６０と、前記ＰＡＩＤシステム６０でデータベース化したデータを再構成できる文書化モジュール７０と、前記品質保証システム４０、前記ＦＥＡＳシステム５０及び前記ＰＡＩＤシステム６０から放射性廃棄物の処分研究と関連した全てのデータを入力され、統合的に格納する統合ＤＢモジュール８０と、ユーザの人的事項によって前記各システム及び前記モジュールの使用有無を統制するシステム管理部３２と、を備えて構成されることを特徴とする。
【００１５】
また、本発明の他の態様に係る放射性廃棄物の処分研究のためのインターネット基盤の統合システムを用いた処分総合性能評価方法は、放射性廃棄物を処分するのに影響を及ぼす多様な因子を把握し、相互関連関係を糾明して、放射性廃棄物の処分システムの安全性を立証する処分総合性能評価を行う方法であって、品質保証システムを用いて放射性廃棄物の処分研究と関連した多数のプロジェクトから品質保証データを獲得するステップと、ＦＥＡＳシステムを用いて前記品質保証データの中でＦＥＡＳシステム関連データに基づいて相互反応行列を構成することによって、放射性廃棄物の処分総合性能評価のためのシナリオを生成するステップと、前記生成されたシナリオを用いて放射性廃棄物の処分総合性能評価を行うステップと、前記処分総合性能評価の実行結果は、新しい処分総合性能評価に必要なＦＥＰデータと相互反応行列の構成要素及び評価入力データとして提供されるために、統合ＤＢモジュールに格納されるステップと、を含むことを特徴とする。
【発明の効果】
【００１６】
本発明に係る放射性廃棄物の処分研究のためのインターネット基盤の統合システム及びこれを用いた処分総合性能評価方法は、放射性廃棄物の処分研究の全過程に一貫した品質保証原則を適用して、処分研究に対する信頼性を確保することができるという効果がある。
【００１７】
また、研究現場で開発された品質保証様式を統合システムに登載することによって、実際研究現場結果物の効率的で且つ流動的な入力及び格納を可能にし、これにより、研究員間の円滑な情報共有を可能にして、処分研究に対する研究員の理解増進及び研究効率を増進させることができるという効果もある。
【００１８】
一方、インターネット基盤の統合システムを用いて今後に施行される多様な処分研究に対する事前検討及び結果に対する詳細検討時にも、別途の場を用意する必要がなく、放射性廃棄物の処分研究に対して関心を持っている一般人も関連情報を閲覧することができるので、相互意志疎通を円滑にすることができるという効果もある。
【発明を実施するための最良の形態】
【００１９】
以下、添付の図面を参照して、本発明の好ましい実施例を詳細に説明する。
【００２０】
図１は、本発明の一実施例に係る放射性廃棄物の処分研究のためのインターネット基盤の統合システムの構成を示すブロック図である。
【００２１】
図１を参照すれば、放射性廃棄物の処分研究のためのインターネット基盤の統合システムは、放射性廃棄物の処分研究に必要なデータを入力し、放射性廃棄物の処分研究実行結果を出力するユーザクライアントシステム１０と、インターネット２０を介して前記ユーザクライアントシステム１０に連結され、且つ前記ユーザクライアントシステム１０を介して入力されたデータから品質保証データを獲得する品質保証システム４０と、前記品質保証システム４０から獲得した品質保証データを組み合わせて、処分総合性能評価のためのシナリオを生成し、前記ユーザクライアントシステム１０を介して検索及び閲覧機能を提供するＦＥＡＳシステム５０と、前記ＦＥＡＳシステム５０に入力されたデータを、制定された分類基準によって分類し、データベース化するＰＡＩＤシステム６０と、前記ＰＡＩＤシステム６０のデータを再構成して、新しいデータセットとして構成できる文書化モジュール７０と、放射性廃棄物の処分研究と関連した全てのデータを統合的にデータベース化して格納する統合ＤＢモジュール８０と、使用承認可否によるユーザの人的事項にしたがって前記各個別システムまたはモジュールの接続を統制するシステム管理部３２よりなる統合システムサーバー３０とで構成される。
【００２２】
前記インターネット２０は、１つの情報サービス網から提供する情報だけを得、同じサービスを利用するユーザ間だけで情報交換が可能なパソコン通信とは異なって、数多くの種類の情報サービス網から提供する各種情報を得ることができ、他の情報サービス網を利用する人とも情報交換が可能なコンピューターネットワークである。
【００２３】
前記ユーザクライアントシステム１０は、インターネット２０を介して放射性廃棄物の処分研究に関する多様な情報を保持している統合システムサーバー３０に接続して、データ送受信を可能にするインタフェース装置と、前記統合システムサーバー３０が提供するイメージとテキスト形態のデータなどを出力するためのディスプレイ装置及びその他の入出力装置とで構成される。ユーザクライアントシステム１０は、通常、場所及び時間に拘わらず設置されて使用され、多数のユーザが同時に統合システムサーバー３０に接続できる機能を提供する。
【００２４】
前記統合システムサーバー３０は、多数の個別システム及びモジュールで構成されていて、各々の個別システム及びモジュールは相互連動して動作する。このような個別システム及びモジュールを区分して詳細に説明すれば、前記品質保証システム４０は、放射性廃棄物の処分研究者品質保証に基づいて行われるように、処分研究に関するプロジェクトの生成から決裁及び最終承認に至る全過程に適用され、各過程から品質保証が適用された処分研究関連データを入力できるシステムである。
【００２５】
このような前記品質保証システム４０は、前記ユーザクライアントシステム１０を介して放射性廃棄物の処分研究に関するプロジェクトのデータを入力される入力部４２と、前記入力部４２を介して入力されたデータの決裁及び承認可否を決定する決裁／承認部４４と、前記決裁／承認部４４で最終的に承認されたデータだけを選別して格納する選別格納部４６と、を内部に備える。
【００２６】
前記ＦＥＡＳ（FEP  to  Assessment  through  Scenario  development）システム５０は、前記品質保証システム４０から入力されたデータの中から放射性廃棄物の処分場の性能及び安全性に影響を及ぼすＦＥＰ関連データをシナリオ作成に使われる構成要素に分類し、分類されたＦＥＰデータを一定の組合せ方式によって行列の構成要素に代入させて、相互反応行列（Interactive  matrix）を構成し、所定の配列順序によって前記相互反応行列の構成要素を配列して、処分総合性能評価のためのシナリオを生成する。
【００２７】
すなわち、ＦＥＰデータと関連して発生可能性、結果影響力、規制及び特定敷地の適合性などを総合的に考慮して、ＦＥＰデータの重要度を評価した後、これらのＦＥＰデータの相互反応を考慮して、放射性廃棄物の処分場から最終生態系に至る放射性核種の移動を記述するシナリオ（Scenario）を導き出すことができる。
【００２８】
放射性核種の移動に影響を及ぼす数多くのＦＥＰデータから一貫性あるシナリオを導き出すために使われる前記相互反応行列は、主要ＦＥＰデータを行列の構成要素に含めることによって、各構成要素が最終生態系などに及ぼす影響程度による重要度とシナリオ構成順序を容易に把握できるように助力する。
【００２９】
また、各過程で使われるデータを前記統合ＤＢモジュール８０に格納し、格納されたデータを前記ユーザクライアントシステム１０を介して確認することができる機能を提供する。
【００３０】
実際放射性廃棄物の処分において影響を及ぼすＦＥＰデータは、その数があまり多くて、全てのＦＥＰデータを考慮して相互反応行列を構成することは不可能である。したがって、類似の特性を持つＦＥＰデータを１つの集合体で構成した統合ＦＥＰ（Integrated  FEP；ＩＦＥＰ）データで構成してその数を低減することによって、相互反応行列を生成することができる。各細部単位ＦＥＰデータは、各々のＦＥＰデータが持つ類似特性にしたがって該当する１つの統合ＦＥＰデータに含まれ、このような統合ＦＥＰデータは、相互反応行列を構成する要素となる。
【００３１】
すなわち、各統合ＦＥＰデータは、細部単位ＦＥＰデータの共通的な正確を代表し、これにより、細部単位ＦＥＰデータは、各々１つの統合ＦＥＰデータに対応し、多数の統合ＦＥＰデータに重複して含まれない。
【００３２】
前記ＰＡＩＤ（Performance  Assessment  Input  Database；性能評価入力データベース）システム６０は、前記品質保証システム４０から入力されたデータの中で最終承認された性能評価と関連した全ての入力データをデータベース化したシステムである。ＰＡＩＤシステム６０は、所定の分類基準によってデータを整理し分類して、分類したデータ体制から順次に任意のデータに対する検索が行われ、または分類機能に関係なく、キーワードだけで全体データから任意のデータを探して該当データを提供する。
【００３３】
前記文書化モジュール（Documentation  Module）７０は、前記ＰＡＩＤシステム６０関連データ、すなわち品質保証が適用された性能評価入力データを再構成して、新しいデータセットを構成できる機能を提供する。
【００３４】
前記統合ＤＢモジュール８０は、前記統合システムサーバー３０を介して入出力される全てのデータを統合的に格納し、これに基づいて前記品質保証システム４０で最終承認されたデータだけでなく、実行中のデータ及び承認拒絶されたデータである場合にも、放射性廃棄物の処分研究関連データとして格納する。
【００３５】
一方、前記格納されたデータの中で、閲覧及び照会が可能なものは、最終承認されたデータだけが可能である。すなわち、実行中のデータは、データを入力したユーザと上位決裁者として指定された人だけが確認可能であり、実行中のデータが最終承認される場合のみに、全てのユーザが確認することができる。承認拒絶されたデータの場合には、その承認拒絶された履歴が関連データの別途の記録欄に表示され、これを確認することができる。
【００３６】
例えば、Ｄという文書にＡという研究員がデータを入力して決裁過程を経たが、上位決裁者によって不承認され、Ａ研究員に返送された場合に、返送された状態では、Ａ研究員と上位決裁者のみがＤという文書を確認することができる。Ａ研究員が不承認理由に対する補完をして、さらに決裁過程を経て最終承認を受けた場合に、全てのユーザが確認可能であり、Ｄという文書内容には、不承認された履歴も別途のメニューに記録され、これを確認することができる。
【００３７】
一方、放射性廃棄物の処分研究に関するプロジェクトの最終承認データは、別途に前記選別格納部４６に格納されるが、前記選別格納部４６は、承認されたデータのみを各々品質保証システム４０、ＦＥＡＳシステム５０及びＰＡＩＤシステム６０に格納することができる機能を提供する所である。選別格納部４６で選別して格納されるように動作する場合、最終承認されたデータは、全て前記統合ＤＢモジュール８０に格納されて検索されることができる。
【００３８】
前記システム管理部３２は、前記品質保証システム４０を介して行われるプロジェクトの該当フォルダを統合システムの統合システムサーバー３０に生成する役目をし、特定の研究員を指定して文書の生成、修正及び削除の権限を付与する役目をする。したがって、システム管理部３２によりプロジェクトと関連して指定を受けた研究員は、該当文書の生成、修正及び削除の権限を全て付与されるが、指定を受けていない研究員の場合には、既に生成された文書を閲覧できる権限だけを付与されることになる。
【００３９】
すなわち、前記システム管理部３２は、ユーザの人的事項によるシステム接近権限有無を判断し、付与された権限の範囲内に含まれる機能を提供する。
図２は、本発明に係る放射性廃棄物の処分研究のためのインターネット基盤の統合システムで提供する機能を示す図である。
【００４０】
図２を参照すれば、本発明に係る放射性廃棄物の処分研究のためのインターネット基盤の統合システムは、放射性廃棄物の処分研究の品質保証機能、処分総合性能評価のためのシナリオ開発機能、放射性廃棄物の処分研究関連データの統合管理機能及び放射性廃棄物の処分研究と関連したデータの閲覧、照会機能を提供する。
【００４１】
このような機能を、図１で前述した統合システムサーバー３０を構成する個別システム及びモジュールと関連して説明する。
【００４２】
第一に、処分研究の品質保証機能は、前記品質保証システム４０で実行され、放射性廃棄物の処分研究に関する一貫性及び信頼性を確保する。第二に、処分総合性能評価のためのシナリオ開発機能は、前記ＦＥＡＳシステム５０が提供する。すなわち、前記ＦＥＡＳシステム５０において前記品質保証システム４０から得られたプロジェクトデータの中でＦＥＰ関連データを相互反応行列を構成するためのＦＥＰデータまたは統合ＦＥＰデータとして決定し、相互反応行列の構成要素を一定の組合せ順序によってシナリオを生成する。
【００４３】
第三に、放射性廃棄物の処分研究関連データの統合管理は、前記統合ＤＢモジュール８０で実行される。第四に、放射性廃棄物の処分研究と関連したデータの閲覧、照会は、ユーザクライアントシステム１０を介して前記統合システム３０に構築された個別システム及びモジュールに接続して確認することができる。
【００４４】
放射性廃棄物の処分研究のためのインターネット基盤の統合システムを構成する前記個別システムとモジュールとは互いに連動して、１つの研究結果と関連された全ての情報をただ一回の統合システムの接続だけで確認することができる。
【００４５】
図３は、本発明に係る放射性廃棄物の処分研究のためのインターネット基盤の統合システムを用いた処分総合性能評価方法を示す順序図である。
【００４６】
以下、本発明の一実施例に係る放射性廃棄物の処分研究のためのインターネット基盤の統合システムを用いて処分総合性能評価を行う方法を図３を参照して説明する。
【００４７】
まず、品質保証システムを用いて、放射性廃棄物の処分研究と関連した多数のプロジェクトから品質保証データを獲得する。
【００４８】
この際、プロジェクトの生成から最終承認に至る全過程で入力されたデータは、統合ＤＢモジュールに格納され、特に最終承認されたデータは、別途に品質保証システムの選別格納部に格納される。
【００４９】
その後、ＦＥＡＳシステムを用いて、品質保証システムで得られた品質保証ＦＥＰ関連データを処分総合性能評価のためのシナリオの構成要素として使用して、相互反応行列を構成する。特に、相互反応行列の構成要素として使われる最適のＦＥＰデータは、ＦＥＡＳシステムを用いた検索過程で探すことができる。
【００５０】
相互反応行列が構成される場合、一定の順序によって相互反応行列の構成要素を組み合わせて、放射性廃棄物の処分総合性能評価のためのシナリオを開発する（ステップＳ３１０）。
【００５１】
前述のような相互反応行列の構成とシナリオの開発がなされる場合、処分総合性能評価に入力されるデータを獲得し、このような性能評価入力データは、ＰＡＩＤシステムでデータベース化される（ステップＳ３２０）。
【００５２】
その後、前記入力データを用いて放射性廃棄物の処分総合性能評価を行う（ステップＳ３３０）。
【００５３】
処分総合性能評価の実行で導き出された結果を新しいシナリオ生成時に利用できるデータとして提供できるように、さらに統合ＤＢモジュールに格納する。格納されたデータは、ＦＥＡＳシステム、ＰＡＩＤシステム及び品質保証システムを介して検索することができる（ステップＳ３４０）。
【００５４】
このように本発明に係る統合システムでは、処分研究に関するデータを反復的に再使用し、これに新しく得られたデータを含めることによって、順次に放射性廃棄物の処分研究に関するデータを幅広く確保することができるという長所を有する。
【００５５】
図４は、図３に示された品質保証データを獲得する方法を詳細に示す順序図である。
【００５６】
以下、品質保証データを獲得する方法を図４を参照して説明する。
まず、放射性廃棄物の処分研究関連プロジェクトを行う研究者の要請によりシステム管理部が統合システムサーバーに該当プロジェクトのフォルダを生成する（ステップＳ４１０）。
【００５７】
これと同時に、前記システム管理部がプロジェクトフォルダを生成しつつ、プロジェクトリーダを指定する。また、前記指定されたプロジェクトリーダにより該当プロジェクトの構成メンバーが決定され、プロジェクトメンバーは、プロジェクトリーダが選定される場合、そのままデータベースに格納される（ステップＳ４２０）。
【００５８】
前記メンバーとして決定された研究員は、所定の入力様式を用いて処分研究関連データを入力してプロジェクトを実行し、プロジェクトを実行して結果が導き出される場合、上位決裁者による決裁順序を指定し、評価実行結果として導き出されたデータの承認を要請する（ステップＳ４３０）。
【００５９】
上位決裁者は、指定された順序によって放射性廃棄物の処分研究に関するプロジェクトの結果を評価し、承認可否を決定する（ステップＳ４４０）。
【００６０】
上位決裁者の承認とシステム管理部の確認を経て放射性廃棄物の処分関連プロジェクトのデータが最終承認される場合、最終承認データは、選別格納部が提供する選別格納機能により統合ＤＢモジュールに格納される（ステップＳ４５０）。
【００６１】
前記決裁過程で、処分関連データが不承認される場合には、該当データを入力した研究員に返送し、返送データを受けた研究員は、文書入力またはデータ入力を再実施して、データを修正し、再承認手続を行う。処分関連プロジェクトのデータが不承認されて返送される場合にも、関連データは、全て統合ＤＢモジュールに格納される。
【００６２】
すなわち、放射性廃棄物の処分研究関連データを格納するにあたって、最終承認されたデータだけでなく、不承認されて返送されたデータも全て統合ＤＢモジュールに格納し、これと関連した情報をユーザクライアントシステムを介して確認し、以後に実行されるプロジェクトにおいて発生する反復的な失敗を事前に防止するという効果を有する。
【００６３】
その後、ユーザの必要に応じて統合ＤＢモジュールに格納されたデータから探そうとするデータを検索し、提供される（ステップＳ４６０）。
【００６４】
以下、図３のステップＳ３１０である相互反応行列構成及びシナリオ生成について詳細に説明する。
【００６５】
図５は、本発明に係る処分総合性能評価のためのシナリオ生成時に使われる相互反応行列を示す図である。
【００６６】
図５を参照すれば、シナリオ生成に使われる相互反応行列５７は、放射性廃棄物の処分場の物理的防壁である廃棄物、容器、緩衝材、岩盤、生態系及び地下水流動などの核心現象を示す前記相互反応行列の対角線構成要素（Leading  Diagonal  Element；ＬＤＥ）と、前記対角線構成要素間の相互反応を示す前記相互反応行列の非対角線構成要素（Off  Diagonal  Element；ＯＤＥ）とで構成される。前記相互反応行列５７の対角線構成要素と非対角線構成要素とを付与された順序によって交互に反復して組み合わすことによって、シナリオを生成することができる。
【００６７】
図５に示されたＰ１、Ｐ２、Ｐ３、Ｐ４は、相互反応行列の構成要素に対応する統合ＦＥＰデータを示す。また、内部に点線で示された矢印は、各ＦＥＰデータの進行方向を示す。本発明の実施例では、ＦＥＰデータの進行順序は、Ｐ４、Ｐ１、Ｐ３、Ｐ２順である。例えば、ＦＥＰデータを示すＰ４を「氷河周期」、Ｐ１を「処分場に及ぼす力学的力」、Ｐ３を「地下水の流動と地化学」、Ｐ４を「拡散」として定義すれば、この場合の反応は、「氷河周期変化によって氷河が溶解され始まり、処分場の力学的応力の変化を招いて、断熱と岩盤の活性を引き起こして、究極的に地下水の流動と地化学の組成に影響を及ぼし、処分場の境界条件と核種の移動濃度を変化させて、核種の拡散機構に影響を及ぼすようになり」、これにより、核種移動を変化させるシナリオを作ることができる。
【００６８】
また、各相互反応行列の構成要素は、処分総合性能評価に及ぼす重要度にしたがって色相を異ならしめて表示される。本発明の実施例では、５つの色相に分類される色相表５６を用いて重要度を表示する。前記色相表５６で、数字５は、相互反応行列の構成要素に対応するＦＥＰデータの重要度が「非常に高い」を表し、数字が順次に低くなるにつれて、重要度も「高い」、「普通」、「低い」、「非常に低い」の順に低くなる。
【００６９】
前記相互反応行列５７を用いてＦＥＰデータを組み合わせることによって、ＦＥＰデータ間の相互反応を明白に図示することができ、多様なシナリオをより客観的に開発することができる。
【００７０】
図６は、図３のステップＳ３１０に示されたシナリオを生成する方法を示す順序図である。
【００７１】
図６を参照してシナリオを生成する方法を説明すれば、まず、生成する相互反応行列の大きさ及び種類などを決定する（ステップＳ６１０）。
【００７２】
決定された相互反応行列の構成要素に、品質保証システムで得られたＦＥＰデータを処分総合性能評価のためのＦＥＰデータとして使用して一対一で対応させて各構成要素を選択して、各構成要素に対応するＦＥＰ目録を決定する（ステップＳ６２０）。
【００７３】
ここで、正方形行列は、行の数と列の数が同じ行列を意味する。
この際、ＦＥＰデータの数があまり多い場合には、ＦＥＰデータの共通的な性格を組み合わせて、統合ＦＥＰデータとして構成し、相互反応行列の構成要素に対応させることができる。
【００７４】
その後、相互反応行列の各構成要素に順序を付与し、付与された順序によって相互反応行列の構成要素を構成して、一連の進行順序を有するシナリオを生成する（ステップＳ６３０）。
【００７５】
シナリオが生成される場合、相互反応行列の各構成要素毎に関係される評価方法流れ図（Assessment  Method  Flowcharts；ＡＭＦ）項目を入力し、関連シナリオに対する主要評価概要（Assessment  Context；ＡＣ）を作成する（ステップＳ６４０）。
【００７６】
ここで、評価方法流れ図は、開発されたシナリオをどのように評価するかに関する関連評価方法、関連入力データなどがシナリオを構成する相互反応行列の個々構成要素別に記録されているものであり、主要評価概要は、開発されたシナリオの評価のためにシナリオに対する詳細概要を記述したものを意味する。
【００７７】
前記相互反応行列において特定の構成要素について詳細に説明するために、サブ相互反応行列を生成する場合、既存の相互反応行列から構成要素の一部を取り込み。残りの構成要素は、新しく入力して、新しい相互反応行列として生成し、既存の相互反応行列でシナリオを生成する方式と同様に、サブ相互反応行列によるサブシナリオを生成する（ステップＳ６５０）。
【００７８】
また、サブシナリオが生成された場合にも、サブシナリオに関する主要評価概要を作成し、評価方法流れ図項目を入力する（ステップＳ６６０）。
【００７９】
前記相互反応行列の各構成要素の選択及び各構成要素に対応するＦＥＰ目録選択ステップ（ステップＳ６２０）を含む以後のステップでは、各該当ステップから次のステップにシナリオ生成過程が進行されない場合には、開始ステップに戻り、最初からシナリオ生成過程が行われる。
【００８０】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図面の簡単な説明】
【００８１】
【図１】本発明の一実施例に係る放射性廃棄物の処分研究のためのインターネット基盤の統合システムの構成を示すブロック図である。
【図２】本発明に係る放射性廃棄物の処分研究のためのインターネット基盤の統合システムで提供する機能を示す図である。
【図３】本発明に係る放射性廃棄物の処分研究のためのインターネット基盤の統合システムを用いた処分総合性能評価方法を示す順序図である。
【図４】図３に示された品質保証データを獲得する方法を示す順序図である。
【図５】本発明に係る処分総合性能評価のためのシナリオ生成時に使われる相互反応行列を示す図である。
【図６】図３に示されたシナリオを生成する方法を示す順序図である。
【符号の説明】
【００８２】
１０    ユーザクライアントシステム
２０    インターネット
３０    統合システムサーバー
３２    システム管理部
４０    品質保証システム
５０    ＦＥＡＳシステム
５７    相互反応行列
６０    ＰＡＩＤシステム
７０    文書化モジュール
８０    統合ＤＢモジュール
【図１】
2008052697.tif 000003
【図２】
2008052697.tif 000004
【図３】
2008052697.tif 000005
【図４】
2008052697.tif 000006
【図５】
2008052697.tif 000007
【図６】
2008052697.tif 000008